(57)【要約】【課題】各種の表面材に対応するために、部品の共有化を図ったデッキタイルの提供。 【解決手段】ベース材、連結具、表面材からなるデッキタイルであって、ベース材と表面材を基部、軸部、抜止めのための頭部からなる連結具によって接合する。【選択図】  図２
2005264460.tif 000002
【特許請求の範囲】
【請求項１】
表面材とベース材を連結具によって接続したデッキタイルにおいて、膨出頭部を備えた連結具を表面材及び／又はベース材に設けた連結用小孔に挿通して接続したことを特徴とするデッキタイル。
【請求項２】
表面材、ベース材、連結具からなる請求項１に記載のデッキタイル組立セット。
【請求項３】
表面材を連結具と一体成形した裏打ちパネルに張り、該パネルの連結具とベース材の連結用小孔で接続することを特徴とする請求項１又は２に記載のデッキタイル。
【請求項４】
連結具は、基部、軸部、頭部からなり、基部及び頭部は連結用小孔の径より大きく、頭部に挿入案内用傾斜と抜止め肩部を有する抜止め膨出頭部型、抜止め膨出頭部型の頭部及び軸部にスリットを設け割型とした弾性挿入割型、頭部に導入案内用傾斜及び逆勾配の緊締用の傾斜があり、該傾斜と接合される部材の連結用小孔に設けた傾斜で接するガタ防止緊締型、ガタ防止緊締型の頭部、軸部にスリットを設けて割型とした弾性緊締型のいずれからなることを特徴とする請求項１〜３のいずれかに記載のデッキタイル。
【請求項５】
表面材の連結用小孔を非貫通としたことを特徴とする請求項１〜４のいずれかに記載のデッキタイル。
【請求項６】
連結具がベース材と一体成形されたことを特徴とする請求項１〜５のいずれかに記載のデッキタイル。
【請求項７】
頭部が拡幅し、該拡幅部から軸に向う緊締用の傾斜を有する連結具をベース材上に表面材の横幅及び/又は長さ巾間隔で立設し、該巾間に表面材を配置し固定されたことを特徴とするデッキタイル。
【請求項８】
デッキタイル同士を接合する接合構造あるいは接合材を備えたことを特徴とする請求項１〜７のいずれかに記載のデッキタイル。
【発明の詳細な説明】
【技術分野】
【０００１】
本発明は、屋上やテラス、ベランダ、バルコニーなどの床に敷くユニット状に分割されたデッキタイルに関するものである。
【背景技術】
【０００２】
屋上やベランダなどの水がかかる床においては、美観向上や歩行感などの理由からすのこ状の硬質プラスチック製板状体や木製板状体などを敷くことが従来行われてきた。その形状や重量から運搬の容易性や床の形状への適応性に問題があった。そのためにユニットタイル化されたデッキが発明された。それらのデッキタイルは、表面材毎に構造が異なり、異なる表面材からなるデッキタイル間で部材を共有するのが難しい問題があった。
従来例としては、コンクリート性のタイルユニットや木製のデッキなどが一般的であり、さらにすのこ状床敷ユニット（特許文献１：特開２０００−１２９８９７号公報）、すのこ等の床に敷く板材の連結構造（特許文献２：特開２０００−３１００３０号公報）、タイル材の連結固定（特許文献２：登録実用第３０５２８１４号公報）が知られている。これらの技術では、異なる種類の表面材を有するデッキタイル間で部品を共有化することが難しかった。
【特許文献１】特開２０００−１２９８９７号公報
【特許文献２】特開２０００−３１００３０号公報
【特許文献３】登録実用第３０５２８１４号公報
【発明の開示】
【発明が解決しようとする課題】
【０００３】
本発明は、種々の表面材に対応するときの部品の共有化を図ったデッキタイルを提供することを目的とする。
【課題を解決するための手段】
【０００４】
（１）表面材とベース材を連結具によって接続したデッキタイルにおいて、膨出頭部を備えた連結具を表面材及び／又はベース材に設けた連結用小孔に挿通して接続したことを特徴とするデッキタイル。
（２）表面材、ベース材、連結具からなる（１）に記載のデッキタイル組立セット。
（３）表面材を連結具と一体成形した裏打ちパネルに張り、該パネルの連結具とベース材の連結用小孔で接続することを特徴とする（１）又は（２）に記載のデッキタイル。
（４）連結具は、基部、軸部、頭部からなり、基部及び頭部は連結用小孔の径より大きく、頭部に挿入案内用傾斜と抜止め肩部を有する抜止め膨出頭部型、抜止め膨出頭部型の頭部及び軸部にスリットを設け割型とした弾性挿入割型、頭部に導入案内用傾斜及び逆勾配の緊締用の傾斜があり、該傾斜と接合される部材の連結用小孔に設けた傾斜で接するガタ防止緊締型、ガタ防止緊締型の頭部、軸部にスリットを設けて割型とした弾性緊締型のいずれからなることを特徴とする（１）〜（３）のいずれかに記載のデッキタイル。
（５）表面材の連結用小孔を非貫通としたことを特徴とする（１）〜（４）のいずれかに記載のデッキタイル。
（６）連結具がベース材と一体成形されたことを特徴とする（１）〜（５）のいずれかに記載のデッキタイル。
（７）頭部が拡幅し、該拡幅部から軸に向う緊締用の傾斜を有する連結具をベース材上に表面材の横幅及び/又は長さ巾間隔で立設し、該巾間に表面材を配置し固定されたことを特徴とするデッキタイル。
（８）デッキタイル同士を接合する接合構造あるいは接合材を備えたことを特徴とする（１）〜（７）のいずれかに記載のデッキタイル。
【発明の効果】
【０００５】
作用効果は次のとおりである。
（１）異なる表面材からなるデッキタイル間で部品を共有化できる。組合せの自由度が向上すると共に、ユーザーが組合せを選択することができるデッキタイルである。
（２）表面材とベース材の連結具は、単一部品であり、所定の深さまで挿入することにより抜止め機能が働き、取り扱いが容易である。
（３）表面材とベース材の連結具の基部及び頭部は、接合用小孔の径より大きく、抜止めに効果がある構造となっている。
（４）連結用小孔に連結具を挿入する接合では破損しやすいセラミック系などの表面材の場合、表面材に直接連結具を挿入せず、連結具を有する表面材張付け用の裏打ちパネルに表面材を接着剤で張り、そのパネルを連結具によりベース材に接合することが可能である。
（５）頭部を拡幅し、該拡幅部から軸部へ向う緊締用の傾斜を有する連結具をベース材上の表面材の横幅及び/又は長さ巾間隔で立設し、該巾間に表面材を配置し固定することにより、表面材に連結用小孔を設けることが不要になる。
（６）複数のデッキタイルを連設する場合は、接合材としてクリップなどを用い、挿入案内の傾斜に沿って所定位置まで挿入することにより簡単にデッキタイル同士を接合できる。接合部には可橈性があり、破損しにくく、かつ外れにくい。
【０００６】
各請求項に記載された実施態様に対応する作用効果は次のとおりである。
請求項１に記載したデッキタイルは、ベース材と表面材に連結時に対応する位置に小孔をうがち、両者の小孔に連結具を挿入して、ベース材と複数の表面材を連結することにより、デッキタイルが形成される。これにより、デッキタイル製作において、異なる表面材のタイル間での部品の共有化が可能となる。
【０００７】
請求項２に記載したデッキタイルは、表面材、ベース材、連結具から構成されたセットである。特殊な技術や器具を要せずにユーザーが組立ることができるセットである。
請求項３に記載したデッキタイルでは、連結具と一体成形した裏打ちパネルにセラミック系などの表面材を接着剤で張り、そのパネルを連結具によりベース材と連結する。これにより、連結具によって連結した場合に破損の危険があるセラミック系などの脆い材料に連結具を使用するのを回避できる。また、プラスチックや木製であってもこの裏打ちパネルを用いることができる。表面側に連結用小孔がないために、きれいな仕上がり面が可能となる。
請求項４に記載した連結具は、金属製又はプラスチック製で基部、軸部、頭部よりなる。その基部及び頭部は連結用小孔の径より大きく、単一部品からなる抜止め効果のある連結具である。連結具には、頭部に挿入案内用傾斜と接合される部材と噛み合う抜止め肩部を有する抜止め膨出頭部型、抜止め膨出頭部型の頭部及び軸部にスリットを設け割型とし弾性変形により挿入を容易にした弾性挿入割型、頭部下部に導入案内用傾斜と逆勾配の緊締用の傾斜を加え、その傾斜と接合される部材の連結用小孔に設けた傾斜で接するガタ防止緊締型、ガタ防止緊締型の頭部、軸部にスリットを設けて割型とした弾性緊締型がある。連結具は単一部品で、所定の位置まで挿入すれば、抜止め機能が働き、取り扱いが容易である。ガタ防止緊締型、弾性緊締型を用いれば、表面材のガタ防止効果も得られる。
請求項５に記載したデッキタイルは、表面材の連結用小孔を非貫通とし、連結具を表面材内に留めることにより、表面材の表側から連結具を見えないようにすることができる。
請求項６に記載したデッキタイルは、ベース材と連結具を一体成形し、部品数を減らすことができる。表面材の連結用小孔を非貫通とし、表面材の表側から連結具を見えないようにすることができる。
請求項７に記載したデッキタイルは、頭部を拡幅し、該拡幅部から軸部へ向う緊締用の傾斜を有する連結具をベース材上の表面材の横幅及び/又は長さ巾間隔で立設し、該巾間に表面材を配置し固定する。表面材に連結のための加工が不用であり、セラミック系材料のように、連結用小孔に連結具を挿入した場合に破損しやすい脆い表面材の場合に有効である。
請求項８に記載したデッキタイルは、各デッキタイルを接合材で接合される。接合材は、金属製又はプラスチック製などのクリップであり、その接合されるベース材の脚部には、挿入案内用の傾斜と外れ防止用の噛合せ部がある。接合部で可撓性があり外れにくく、破損しにくい構造となっている。
【発明を実施するための最良の形態】
【０００８】
本デッキタイルを構成する表面材の材質は特に限定されるものでなく、使用場所、用途に応じて適宜選択できる。例えば、プラスチック製、木材、セラミックタイルなどを単一種類の素材あるいは組み合わせて使用できる。また、色調、模様などデザイン上の選択性を増やすことができる。製法としては、特別限定するものではない。
ベース材は、耐水性、耐久性、加工性に優れ、構造強度が必要とされ、例えば、プラスチック製、木材、金属製などを使用できる。
ベース材と表面材との連結具やデッキタイル同士を接合する接合材は、強度を有し、耐久性に優れている必要があり、プラスチック製や金属製などが使用できる。
【０００９】
表面材はベース材よりも小片で複数の表面材をベース材に連結するものであり、表面材には、耐久性及び歩行感などから木材、プラスチック、セラミックタイルなどが使用できる。表面材の形状は、任意形状が可能である。色や模様などの表面化粧も表面材に応じて可能である。濡れたときの防滑処理として、表面に凹凸を設けることも可能である。表面材には、両端２箇所以上に連結用小孔を設け、連結具を挿入しベース材と固定する。表面材に設ける小孔には、貫通、非貫通の２形態がある。表面材側に連結部の頭部がくるようにする場合は、表面から頭部が突き出さないように頭部が納まる凹状の座堀を設けるとよい。
【００１０】
ベース材の基本形はデッキタイルの単位材である。複数単位とした長尺材も可能である。ベース材には、表面材とベース材との連結用小孔を設ける。ベース材と連結具を一体成形することもできる。この場合は、ベース材に連結具用の小孔を設ける必要はない。ベース材の基底面から連結具の基部あるいは頭部が突き出ないように納まる凹状の座堀を設けることもできる。
【００１１】
連結具は、金属製又はプラスチック製で基部、軸部、頭部よりなる。その基部及び頭部は連結用小孔の径より大きく、単一部品からなる抜止め機能のある連結具である。連結具には、頭部に挿入案内用傾斜と接合される部材と噛み合う抜止め肩部を有する抜止め膨出頭部型、抜止め膨出頭部型の頭部及び軸部にスリットを設け割型とし弾性変形により挿入を容易にした弾性挿入割型、頭部に導入案内用傾斜と逆勾配の緊締用の傾斜を加え、その傾斜と接合される部材の連結用小孔に設けた傾斜で接するガタ防止緊締型、ガタ防止緊締型の頭部、軸部にスリットを設けて割型とした弾性緊締型がある。連結具は単一部品で、所定の位置まで挿入すれば、抜止め機能が働き、取り扱いが容易である。緊締型を用いれば、表面材のガタ防止効果もある。
連結具の挿入方法としては、連結具を表面材側から挿入する方法とベース材側から挿入する方法がある。ベース材側から連結具を挿入する方法では、表面材の連結用小孔を非貫通とし、表面材内で連結具の頭部を収め、表面材の表側に連結具を出さないこともできる。
【００１２】
複数のデッキタイル間に生じる隙間の発生を防止するための接合材を設けることができる。接合材は、たとえば金属やプラスチックなどの弾性復元力を利用したクリップであり、クリップで接合されるベース材の脚部には、クリップの挿入案内用の傾斜があり、クリップの外れ防止のための噛合せ部がある。接合部にはクリップの弾性による可撓性があり、接合材及び脚部の破損防止及び外れ防止に効果がある。
【００１３】
用途は、屋上、ベランダ、バルコニー、テラス、脱衣場、プールなど水に濡れる箇所が主用途としてあげられるが、水に濡れない箇所に使用することも可能である。それぞれの用途及び好みに応じて表面材を選択できる。
【００１４】
＜実施例＞ 
以下、図面を参照して本発明の実施例を説明する。
図１は、連結具Ｃの各種類の概要を示している。
図１（ａ）に図示した例では、連結具Ｃ１は抜止め膨出頭部型であり、基部１１、軸部１２、頭部１３から構成されている。基部１１及び頭部１３は連結される表面材Ａ及びベース材Ｂの連結用小孔２１，３１より大きく形成され、連結される表面材Ａ、ベース材Ｂにかかるようになっている。頭部１３には挿入案内用傾斜１４と連結される部材にかかる抜止め肩部１５がある。
図１（ｂ）に図示した例では、連結具Ｃ２は抜止め膨出頭部型の軸部１２、頭部１３にスリット１６を入れ割型にしたものであり、挿入時に弾性により収縮し、所定の位置まで挿入されると復元し、連結される表面材Ａに抜止め肩部がかかる弾性挿入割型である。表面材Ａ及びベース材Ｂの連結用小孔２１，３１周囲に座堀２２を設け、連結される表面材Ａの表面、ベース材Ｂの基底より連結具の基部、頭部を突き出さないようにすることができる。
図１（ｃ）に図示した例では、連結具Ｃ３は、抜止め膨出頭部型の頭部１３の下部側に挿入案内用と逆勾配の緊締用傾斜１７を設け、表面材Ａの連結具がかかる面にも傾斜２３を設けてガタ防止効果を与えたガタ防止緊締型である。
図１（ｄ）に図示した例では、連結具Ｃ４は、緊締型の軸部１２、頭部１３にスリット１６を入れ割型にしたものであり、挿入時に弾性により収縮し、所定の位置まで挿入されると弾性復元力により緊締用傾斜１７が表面材Ａの傾斜２３を押し緊締する弾性緊締型である。
【実施例１】
【００１５】
実施例１を図２に示す。木製の表面材Ａ、プラスチック製の中空のベース材Ｂ、連結具として金属製の抜止め膨出頭部型又は弾性挿入割型を使用したデッキタイルである。１つのデッキタイルに複数枚の木製表面材が連結され、一つの表面材の端部には、４個の連結用小孔２１がある。ベース材のその連結用小孔に対応する位置に連結用小孔３１がある。表面材側の小孔周辺は、連結材の頭部又は基部が表面材の面から突き出さないように座堀されている。連結具は表面材側又はベース材側のどちらからも挿入が可能であり、連結具を所定の位置まで挿入すれば、連結具の抜止めが機能する。
【実施例２】
【００１６】
実施例２を図３に示す。弾性挿入割型Ｃ２の連結具と一体成形されたプラスチック製のベース材Ｂである。表面材の連結用小孔は非貫通で連結具は表から見えない。表面材Ａを連結具Ｃ２に押し込み、連結具Ｃ２は所定の位置で頭部１３が拡張し、抜止め肩部１５が表面材にかかる。
【実施例３】
【００１７】
実施例３を図４に示す。表面材のセラミックタイルの連結例であり、セラミックタイルＡには連結用の小孔を設けず、連結具Ｃ１と一体成形したセラミックタイル張付け用裏打ちパネル２４にセラミックタイルＡを接着剤で張付け、連結具Ｃ１をベース材の連結用小孔３１に挿入することにより、セラミックタイルを張った裏打ちパネル２４をベース材に連結する。
【実施例４】
【００１８】
実施例４を図５（ａ）、（ｂ）に示す。図５（ａ）は、セラミックタイルなどの硬質な表面材Ａの連結例である。ベース材Ｂの表面材４辺の各端部位置に連結具として弾性を有するプラスチック製の頭部を拡幅し緊締用の傾斜１７を有する弾性固定具Ｃ５を立設する。この固定具間に硬質な表面材Ａを押し込むことにより、表面材を固定する。図５（ｂ）は複数の表面材を固定した状況を示す斜視図である。
【実施例５】
【００１９】
実施例５を図６（ａ）、（ｂ）に示す。図６（ａ）は、デッキタイル同士を接合する概要を示す図である。接合材Ｄは金属やプラスチックなどの弾性を有する材料からなるクリップで、その弾性を利用して所定の位置へセットし、ベース材の脚部同士を連結する。ベース材Ｂの連結材の位置には、連結材挿入のための案内となる傾斜３２と噛合せ部３３があり、所定の位置に接合材がくれば、噛合せにより外れにくい構造になっている。連結材の位置は図６（ｂ）に示すように、デッキタイル周囲の脚部各辺の中央部である。
【図面の簡単な説明】
【００２０】
【図１】表面材とベース材の連結具の概要
【図２】表面材とベース材を連結具で連結した例
【図３】ベース材と連結材を一体成形したときの表面材との連結例
【図４】表面材のセラミックタイル張った張付け用裏打ちパネルを連結する例
【図５（ａ）】弾性固定具による表面材の固定図
【図５（ｂ）】弾性固定具により表面材を固定したときの斜視図
【図６（ａ）】デッキタイル同士の接合材図
【図６（ｂ）】デッキタイル同士の接合状態図
【符号の説明】
【００２１】
Ａ      ・・・      表面材
Ｂ      ・・・      ベース材
Ｃ      ・・・      連結具
Ｄ      ・・・      接合材
Ｃ１    ・・・      抜止め膨出頭部型
Ｃ２    ・・・      弾性挿入割型
Ｃ３    ・・・      ガタ防止緊締型
Ｃ４    ・・・      弾性緊締型
Ｃ５    ・・・      弾性固定具
１１      ・・        基部
１２      ・・        軸部
１３      ・・・      頭部
１４      ・・・      挿入案内用傾斜
１５      ・・・      抜止め肩部
１６      ・・・      スリット
１７      ・・・      緊締用傾斜
２１      ・・・      表面材の連結用小孔
２２      ・・・      座堀
２３      ・・・      小孔側緊締用傾斜
２４      ・・・      セラミックタイル張付け用裏打ちパネル
３１      ・・・      ベース材の連結用小孔
３２      ・・・      接合材挿入案内用傾斜
３３      ・・・      接合材噛合せ部
【図１】
2005264460.tif 000003
【図２】
2005264460.tif 000004
【図３】
2005264460.tif 000005
【図４】
2005264460.tif 000006
【図５（ａ）】
2005264460.tif 000007
【図５（ｂ）】
2005264460.tif 000008
【図６（ａ）】
2005264460.tif 000009
【図６（ｂ）】
2005264460.tif 000010